(57)【要約】【要  約】  【課題】  本発明は、磁気力を検出する手段を有する観測装置をボーリング孔に設置する方法に関連し、観測装置が有する磁気力を検出する手段を利用して観測装置の設置深度を正確に求めることを可能にするケーシングパイプの設置方法およびボーリング孔における観測装置の設置深度測定方法を提供する。  【解決手段】  ボーリング孔にケーシングパイプを設置する場合、異なる磁化性を有するケーシングパイプを組み合わせてボーリング孔に設置し、そのケーシングパイプ内を観測装置を移動させつつ磁気力を検出する手段により磁気力の変化を測定し、磁気力の変化とケーシングパイプの深度を対応させ、ケーシングパイプの深度を基準にしてボーリング孔に設置する観測装置の設置深度を測定する。【選択図】    図４
2005114584.tif 000002
【特許請求の範囲】
【請求項１】
磁化性の異なるケーシングパイプを組み合わせてボーリング孔に設置するステップと、
磁気力を検出する少なくとも１つの手段を有する観測装置を該ケーシングパイプ内を吊り下げて移動させつつ磁気力の変化を測定するステップと、
該磁化性の異なるケーシングパイプの設置深度と該磁気力の変化を測定する手段による磁気力の測定結果から、ボーリング孔に吊り下げた該観測装置の設置深度を求めることを特徴とする、ボーリング孔における観測装置の設置深度測定方法。
【請求項２】
請求項１に記載のボーリング孔における観測装置の設置深度測定方法において、該観測装置に設けた複数の磁気力を測定する手段を用い、該観測装置をボーリング孔内で吊り下げているワイヤーや複合ケーブルの伸び率を求め、該ワーヤーや該複合ケーブルの伸び率を補正して観測装置の設置深度を求めることを特徴とする、ボーリング孔における観測装置の設置深度測定方法。
【請求項３】
請求項１及び請求項２に記載のボーリング孔における観測装置の設置深度測定方法において、該観測装置に設けた移動可能な磁気力を測定する手段を用い、ボーリング孔に設置した磁化性の異なるケーシングパイプの伸び率を求め、該ケーシングパイプの伸び率を補正して観測装置の設置地点の深度を求めることを特徴とする、ボーリング孔における観測装置の設置深度測定方法。
【請求項４】
少なくとも磁気方位計を備えた観測装置を設置するための埋設孔をボーリングするステップと、
前記埋設孔へケーシングパイプを挿入するステップであって、該ケーシングパイプは磁化特性の異なるケーシングパイプを含む、ケーシングパイプ挿入ステップと、
前記観測装置の磁気方位計により前記磁化特性の異なるケーシングパイプの位置を特定するステップと、
特定された該ケーシングパイプの位置を基準にして前記埋設孔における前記観測装置の設置位置を特定するステップと、
を含むことを特徴とする観測装置の設置方法。
【請求項５】
前記埋設孔にモルタルが充填され、硬化前のモルタル中に前記観測装置が浸漬される、ことを特徴とする請求項４に記載の設置方法。
【請求項６】
前記観測装置の設置位置を特定するステップは、前記埋設孔のモルタル中へ前記観測装置が浸漬されるように、前記観測装置の設置位置を特定する、ことを特徴とする請求項５に記載の設置方法。
【発明の詳細な説明】
【技術分野】
【０００１】
本発明は、ボーリング孔に設置する観測装置の設置深度測定方法に関する。
【背景技術】
【０００２】
ボーリング孔において孔内観測を行う場合、観測地点の深度が分からなければ観測結果の解析ができなくなることが多く、観測装置の設置地点の深度を測定することは重要である。通常、ボーリング孔で孔内観測を行う場合、観測装置に電源線や信号線から構成される複合ケーブルを取り付け、その観測装置をワイヤーで吊り下げ、ワイヤーの長さから観測装置の設置地点の深度を求める。しかし、ワイヤーで観測装置を吊り下げた場合、観測装置の重量や複合ケーブルの重量でワイヤーが伸張するため、複合ケーブルの先端の観測装置の位置をボーリング孔内で特定することは難しい。また、電源線や信号線より構成される複合ケーブルで直接観測装置を吊り下げる場合も複合ケーブルが伸張するため、先端の観測装置の位置をボーリング孔内で特定することは難しい。
【０００３】
これらの問題を解決するため、中心に信号線や電源線があり、周りを金属製のワイヤーで覆った構成の伸び率が少ないアーマードケーブルを用い、アーマードケーブルの長さから、目的とする観測装置の設置地点の深度を求める方法が用いられている。しかし、ボーリング孔が深くなるとアーマードケーブルの自重やアーマードケーブルに取り付けた測定装置の重量によりアーマードケーブルが伸張するため、アーマードケーブルの先端に取り付けた観測装置の深度が決めにくくなる。特に、重量がある観測装置を深いボーリング孔に吊り下げる場合、アーマードケーブルの伸びの割合が多くなり、先端に取り付けた観測装置の深度の測定誤差が大きくなる。
【０００４】
深いボーリング孔の場合、ボーリング孔の孔壁を保護するためケーシングパイプを挿入し、観測装置はケーシングパイプの下方の岩盤内に設置するが、ボーリング孔は屈曲していることが多く、ボーリング孔が深くなるとアーマードケーブルが孔壁やケーシングパイプに接触する割合が多くなり、摩擦力が作用してアーマードケーブルの伸び率が乱れる。このため、アーマードケーブルの先端に取り付けた観測装置の深度の測定誤差がさらに増大する。
【０００５】
一方、ケーシングパイプの長さを測定しながらボーリング孔に挿入すれば、ケーシングパイプのつなぎ目やケーシングパイプの先端の深度を知ることができ、つなぎ目や先端の位置をボーリング孔内における深度の基準にできる。したがって、観測装置がケーシングパイプ内のどの地点に位置しているか特定できれば、ケーシングパイプの設置深度と比較することで、ケーシングパイプ内や、ケーシングパイプの先端より深い地点に設置する観測装置の設置深度を決めることができる。
ケーシングパイプのつなぎ目を測定する装置としてケーシングカラーロケータが知られている。このケーシングカラーロケータには磁気センサが設けられており、ケーシングパイプ（通常鉄管）の継ぎ目における磁気変動を検出する。ケーシングパイプの長さは既知であるので、継ぎ目を数えることにより測定装置（即ち、ケーシングカラーロケータ）の位置を知ることができる。
【発明の開示】
【発明が解決しようとする課題】
【０００６】
本発明は、上記の課題に鑑みなされたものであり以下のような方法で観測装置の設置深度を求めることを目的とする。第１に、ボーリング孔に孔壁の崩落防止用のケーシングパイプを挿入する場合、磁化性の異なるケーシングパイプを、長さを測定しつつボーリング孔に設置する。第２に、磁気力を測定する手段を取り付けた観測装置をボーリング孔内に吊り下げ、第１の方法で設置したケーシングパイプ内を移動しつつ磁気力を測定する。第３に、観測装置を移動しながら測定した磁気力の測定結果と、ケーシングパイプの設置深度に基づいて、観測装置の設置位置を特定する。さらに、第４として、観測装置の移動距離とケーシングパイプのつなぎ目や先端等の特定の地点の深さに基づいて、ワイヤーや複合ケーブルの伸び率を求め、その補正をして観測装置の設置位置を特定する。さらに、第５として、ケーシングパイプの深度を基準にして、ケーシングパイプの伸び率を求め、その補正をして観測装置の設置位置を特定する。  
【課題を解決するための手段】
【０００７】
本発明は、請求項１に記載されるように、磁化性の異なるケーシングパイプを組み合わせてボーリング孔に設置するステップと、磁気力を検出する少なくとも１つの手段を有する観測装置を該ケーシングパイプ内を吊り下げて移動させつつ磁気力の変化を測定するステップと、該ケーシングパイプの設置深度と該磁気力の変化を測定する手段による磁気力の測定結果から、ボーリング孔に吊り下げられた該観測装置の設置深度を求める、ボーリング孔における観測装置の設置深度測定方法を提供する。 
【０００８】
さらに、本発明は請求項２に記載されるように、該観測装置に設けた複数の磁気力を測定する手段を用い、ボーリング孔内で該観測装置を吊り下げているワイヤーや複合ケーブルの伸び率を求め、該ワーヤーや複合ケーブルの伸び率を補正して観測装置の設置深度を求める、ボーリング孔における観測装置の設置深度測定方法を提供する。
【０００９】
さらに、本発明は請求項３に記載されるように、該観測装置に設けた移動可能な磁気力を測定する手段を用い、ボーリング孔に設置した磁化性の異なるケーシングパイプの伸び率を求め、該ケーシングパイプの伸び率を補正して観測装置の設置地点の深度を求める、ボーリング孔における観測装置の設置深度測定方法を提供する。 
【発明の効果】
【００１０】
強磁性体と非磁性体のように、ボーリング孔に設置したケーシングパイプの磁化性が異なっていれば、ケーシングパイプのつなぎ目を境にして磁化性が変わり、磁力線が乱される。このため、観測装置に取り付けた磁気力を検出する手段でその位置を検出できる。ボーリング孔に設置したケーシングパイプの長さと磁化性の違いが分かっていれば、磁気力を検出する手段を取り付けた観測装置を移動させれば、その移動距離と磁気力の変化から、ケーシングパイプのつなぎ目の深度が決められる。そして、そのケーシングパイプの深度に基づいて、ケーシングパイプの先端の位置が特定でき、その位置を基準にすればより深部に設置する観測装置の設置地点の深度が求められる。
【００１１】
観測装置に２個以上の磁気力を検出するセンサを取り付け、ケーシングパイプ内を観測装置を移動させながら２カ所以上で同時に磁気力の変化する深度の差を求めれば、観測装置を吊り下げているワイヤーや複合ケーブルの伸びの割合が求められ、その伸び率を補正すれば観測装置の設置深度が正確に決められる。
【００１２】
さらに、観測装置に取り付けた２個以上の磁気力を検出する手段の位置を移動できる構成にし、ケーシングパイプ内で観測装置を移動させながら、観測装置を特定の場所に吊り下げた状態にして、２個以上の磁気力を検出する手段の位置を移動すれば、磁力線の乱れによる磁気力の変化する深度の差を正確に求めることができ、ケーシングパイプの伸びの割合が求められ、その伸び率を補正することができ、観測装置の設置深度をより正確に決めることができる。
【００１３】
図１は、複合ケーブルに吊した磁気方位計１（図２参照）を、ボーリング孔内を降下させた場合に得られた観測記録の一部で、垂直方向の磁気力の変化を検出する磁気センサの出力信号の変化である。図の左がボーリング孔の上部、図の右がボーリング孔の下部に対応する。鉄製のケーシングパイプのつなぎ目で生じる磁気力の乱れが、スパイク状の変化として記録された。この例の場合は、孔壁の崩落を防ぐためのケーシングパイプの長さは４ｍであるが、観測装置２の降下速度が一定していないためスパイク状の変化の間隔は一定しなかった。また、降下中は磁気センサと孔壁の鉄製のケーシングパイプとの距離が変わり、磁気力が乱されその影響で磁気センサの出力信号が短周期の変動をした。
【００１４】
図３は図１の場合と同様に、複合ケーブルに吊した磁気方位計１を、ボーリング孔内を降下させた場合に得られた観測記録の一部で、図１の場合と同様に垂直方向の磁気センサの出力信号の変化である。この例は、図１の場合と異なり、孔壁の崩落を防ぐための鉄製のケーシングパイプの一部がステンレス製のケーシングパイプであった。図３の左方は、図１の場合と同様に磁気方位計１が鉄製のケーシングパイプ内を降下していたときの出力信号で、スパイク状の乱れ（ａ）が定期的に見られた。磁気方位計１の磁気センサが鉄製からステンレス製のケーシングパイプへのつなぎ目に近づくと出力信号が加速的に低下し（ｂ）、ステンレス製のケーシングパイプ内に入ると出力信号が急激に増加した（ｃ）。ステンレス製のケーシングパイプ内を降下する間、磁気センサの出力信号は上方にシフトしたままで、短周期の乱れはあまりなく、鉄製のケーシングパイプ内の場合と異なっていた。さらに、磁気方位計１をステンレス製から鉄製のケーシングパイプへのつなぎ目まで降下させると、出力信号が急激に低下し（ｄ）、その後は(ｂ)で示した変化とは逆の経過を経て出力信号は増加を続け（ｅ）、鉄製のケーシングパイプ内では元の出力レベルに復した。鉄製のパイプ内では再びスパイク状の変化（ｆ）が見られた。
【００１５】
上述したように、ケーシングパイプで孔壁を保護したボーリング孔内を磁気センサを降下させつつ、その出力を記録すれば、磁気力の変化点が分かる。ボーリング孔にケーシングを設置する際にケーシングパイプの長さを測定しつつケーシングパイプのつなぎ目や磁化性の異なるケーシングパイプのつなぎ目の深度を求める。ケーシングパイプのつなぎ目や磁化性の異なるケーシングパイプのつなぎ目の深さが求められているボーリング孔内であれば。磁気力の変化点の位置とケーシングパイプの設置深度を対応させれば、ケーシングパイプ内であっても磁気センサの位置が特定できる。
【００１６】
図１と図３とを比較すると、図３のように磁化性の異なるケーシングパイプを用いたとき、磁気方位計（磁気センサ）の出力に顕著な変化が現れる。つまり、当該ケーシングパイプを確実に認識できることとなる。
ボーリングで穿設した埋設孔内にモルタルを充填し、その中に観測装置（磁気方位計、ひずみセンサ等を内蔵する）を設置する場合がある。この場合、モルタルが固化する前に観測装置を素早くモルタル内に浸漬する必要がある。また、埋設孔に充填されたモルタル内に確実に、即ち位置精度よく観測装置が設置される必要がある。
ここに、ボーリング孔の周壁を保護するために複数本打ち込まれるケーシングパイプ列の先端位置と埋設孔の底部の位置は決められているので、ケーシングパイプ列においてその先端付近に磁気化の異なるケーシングパイプを配置すれば、これと埋設孔底部との距離を小さな誤差で特定することができる。よって、当該磁化性の異なるケーシングパイプの位置を特定し、これを基準にして埋設孔の底部を求め、観測装置の下端が当該底部から所定の間隔をとるように観測装置の設置位置を正確に定めることができる。即ち、埋設孔のモルタル内へ観測装置を確実に浸漬することができる。
図１の方法においてもそのスパイク状の変化をカウントすればケーシングパイプの下端を特定することが可能である。しかし、ケーシングカラーに対応するスパイク状の変化を確実にカウントするには観測装置をゆっくりと降ろしていく必要があり、そうすると埋設孔内のモルタルが固化してしまうおそれがある。また、カウントミスの生じるおそれがある。
他方、図３の方法によれば、出力の変化が顕著であるため、素早く観測装置を降下することができ、また磁化性の異なるケーシングパイプ（基準ケーシングパイプ）の確認も確実になる。よって、作業性良くかつ正確に観測装置を埋設孔のモルタル内に埋設することができる。
【００１７】
このように磁気力の変化点の位置とボーリング孔内のケーシングパイプの設置深度とを対応させれば、磁気センサを吊り下げている複合ケーブルが伸張したとしても、ケーシングパイプの設置深度を基準にすれば、ボーリング孔内における磁気センサの位置を特定できるし、複合ケーブルの伸び率を測定することができる。
【００１８】
さらに、複合ケーブルの伸び率が分かれば、ケーシングパイプの先端の位置を基準にしてより深部の観測装置の設置位置を測定できる。
【００１９】
ケーシングパイプは長くなると自重で伸張し、上部のケーシングパイプは下部のケーシングパイプより伸張の割合が多く、その補正をしないと正確にケーシングのつなぎ目や先端等の特定の地点の深度が求められない。このような場合、観測装置に取り付けた互いに離れた長さが分かっている２個以上の磁気力を検出するセンサで、ケーシングパイプ内で磁気力の変化する深度の差を求めれば、ケーシングパイプのつなぎ目の間隔の違いを求めることができ、その間隔の違いからケーシングパイプの自重による伸び率が求められる。ケーシングパイプの自重による伸び率が求められれば、その伸び率を補正することで、ケーシングパイプの深度をより正確に求めることができる。その結果、磁気力を検出するセンサを取り付けた観測装置のボーリング孔内における設置地点の深度を精度よく求めることができる。
【００２０】
さらに、観測装置に取り付けた２個以上の磁気力を検出する手段の位置を移動できる構成であれば、ケーシングパイプの伸び率が大きくなっても磁気力を検出する手段を移動させることで、ケーシングパイプ内で磁力線の乱れによる磁気力の変化点の深度の差を正確に求めることができ、ケーシングパイプのつなぎ目の間隔の違いを精度よく求めることができる。その結果、ケーシングパイプのつなぎ目の間隔の違いからケーシングパイプの自重による伸び率が精度よく求められる。ケーシングパイプの自重による伸び率が精度よく求められれば、ケーシングパイプの伸びを補正することができ、ボーリング孔における観測装置の設置地点の深度をより精度よく求めることができる。
【００２１】
観測装置に磁気力を検出する手段が取り付けてあれば、観測装置を吊り下げているワイヤーや複合ケーブルがケーシングパイプに接触し摩擦力が作用し、複合ケーブルの伸び率が変わったとしても、ケーシングパイプのつなぎ目の位置を基準にできるため、観測装置の設置深度は精度よく決めることができる。
【００２２】
以上、ボーリング孔は垂直孔に限定されるものではなく、重力の影響で観測装置を支える材質が伸張する場合のボーリング孔に対して本発明が適用可能である。即ち、斜めボーリングの外、湾曲したボーリング孔（水平ボーリングの場合を含む）に本発明を適用可能である。
上記において、磁化特性の異なるケーシングパイプの例として鉄製ケーシングパイプ（一般ケーシングパイプ）に対してステンレス製のケーシングパイプを採りあげているが、このように異種材料のケーシングパイプの使用に限定されるものではない。一般ケーシングパイプの形状に変化を与えること（例えば孔を空ける）や磁化特性の異なる材料を一般ケーシングパイプに塗布・付設することによりこれを磁化特性の異なるものとすることができる。
【発明を実施するための最良の形態】
【００２３】
以下では、本発明の実施例を図面に基づいて説明する。
【００２４】
第１実施例
図４、図５は本発明によるボーリング孔における観測装置の設置深度測定方法の第１実施例である。図４で示したボーリング孔５には磁化性が異なる２種類のケーシングパイプ６とケーシングパイプ７が深度を変えて設置してあるものとし、それぞれの長さを４ｍとする。そして、これらのつなぎ目の下方側の深度をそれぞれ、上部からｈ１ａ、ｈ２ａ、ｈ１ｂ、ｈ３ａ、ｈ２ｂ、ｈ４ａとする。この例では、ケーシングパイプ６は強磁性体である鉄製であり、ケーシングパイプ７は磁性がほとんどないステンレス製であるとする。
【００２５】
図４で示した構成のケーシングパイプ内を複合ケーブルで吊り下げた磁気方位計を降下させた場合に予想される磁気力の変化を図４で示す。図５のｃ１ａ、ｃ２ａ、ｃ１ｂ、ｃ３ａ、ｃ２ｂ、ｃ４ａはそれぞれ図４のｈ１ａ、ｈ２ａ、ｈ１ｂ、ｈ３ａ、ｈ２ｂ、ｈ４ａの深度に対応した予想される磁気力の変化点である。
【００２６】
図５で示す磁気力の変化点ｃ１ａ、ｃ２ａ、ｃ１ｂ、ｃ３ａ、ｃ２ｂ、ｃ４ａと図４で示したケーシングパイプの設置深度ｈ１ａ、ｈ２ａ、ｈ１ｂ、ｈ３ａ、ｈ２ｂ、ｈ４ａの関係から、リアルタイムで磁気力の変化を測定すれば、ケーシングパイプ内を移動している観測装置の深度をリアルタイムで特定できる。
【００２７】
図４のように設置したケーシングパイプが自重で伸張した場合でも、その伸張の割合は図上で磁気力の変化点の差として検出できる。その差を補正したケーシングパイプの深度を基準にすれば観測装置の深度を特定できる。
【００２８】
図６の実施例ように、観測装置に２つの磁気力を検出する手段８、９を、ケーシングパイプの長さ４ｍに相当する距離に設ければ、磁気力の変化点の深度差を検出しやすくなり、ケーシングパイプの伸張の割合が求めやすくなり、観測装置の深度を特定しやすくなる。
【００２９】
図７の実施例のように、図６で示したような観測装置２に、ケーシングパイプの長さに相当する距離だけ離して設けた２つの磁気力を検出する手段１０、１１の少なくとも１つを移動できる構成にすれば、磁気力の変化点の深度差の検出、言い換えればケーシングパイプの伸張の割合の検出がより容易になり、それだけ観測装置の深度を特定しやすくなる。
【００３０】
強磁性のケーシングパイプの間に非磁性のケーシングパイプを設置しておけば、ケーシングパイプのつなぎ目の深度を特定しやすくなる。非磁性のケーシングパイプとして、ステンレスパイプ、樹脂パイプ、セラミックパイプ等を挙げることができる。
【００３１】
上述したのはケーシングパイプの長さが４ｍで、磁気力を検出する手段を同じ長さ４ｍだけ離して設ける場合の例であるが、磁気力を検出する手段をケーシングパイプの長さの倍数だけ離して設けた場合でも得られる効果は同じである。
【００３２】
上述したのは、垂直に掘削されたボーリング孔に観測装置を設置する例であるが、ボーリング孔が傾斜している場合や水平に近い場合であっても、得られる効果は同じである。
【００３３】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【００３４】
以下、次の事項を開示する。
１０  ボーリング孔のケーシングパイプの継ぎ目を検出するケーシングカラーロケータであって、前記ケーシングパイプの長さに実質的に等しい間隔をとって一対の磁気センサが配設されている、ことを特徴とするケーシングカラーロケータ。
１１  前記磁気センサの少なくとも一方が前記ケーシングパイプの軸方向に移動可能である、ことを特徴とする１０に記載のケーシングカラーロケータ。
１２  前記一対の磁気センサの出力からボーリング孔内のケーシングパイプの長さを特定する、ことを特徴とする１０又は１１に記載のケーシングカラーロケータ。
１３  １０〜１２のいずれかのケーシングカラーロケータを備える観測装置。
１４  １１若しくは１２に記載のケーシングカラーロケータによりボーリング孔内に設置されたケーシングパイプの長さを特定して該ケーシングパイプの定格の長さと比較してその伸張率を求め、得られた伸張率とボーリング孔内に設置されたケーシングパイプ数とにより、ケーシングカラーロケータの深度を特定する、ことを特徴とする深度測定方法。
１５  １４で特定された深度に基づき、前記ケーシングカラーロケータを吊り下げるワイヤの伸張率を特定する、ことを特徴とするワイヤ長さ補正方法。
１６  少なくとも磁気方位計を備えた観測装置を埋設するための埋設孔をボーリングするステップと、
前記埋設孔の底部から所定距離の位置に磁化特性の異なるケーシングパイプが配置されるように、前記埋設孔の周壁へケーシングパイプを打ち込むステップと、
前記観測装置の磁気方位計により前記磁化特性の異なるケーシングパイプの位置を特定するステップと、
特定された該ケーシングパイプの位置を基準にして前記埋設孔における前記観測装置の埋設位置を特定するステップと、
を含むことを特徴とする観測装置の埋設方法。
１７  前記埋設孔にモルタルが充填され、硬化前のモルタル中に前記観測装置が浸漬される、ことを特徴とする１６に記載の埋設方法。
１８  少なくとも磁気センサを備えた観測装置を設置するための埋設孔をボーリングするステップと、
前記埋設孔へケーシングパイプを挿入するステップであって、該ケーシングパイプは磁化特性の異なるケーシングパイプを含む、ケーシングパイプ挿入ステップと、
前記観測装置の磁気センサにより前記磁化特性の異なるケーシングパイプの位置を特定するステップと、
特定された該ケーシングパイプの位置を基準にして前記埋設孔における前記観測装置の設置位置を特定するステップと、
を含むことを特徴とする観測装置の設置方法。
【図面の簡単な説明】
【００３５】
【図１】ボーリング孔内で測定した本発明に係わる磁気方位計の出力信号の変化を示す。
【図２】ボーリング孔内に吊り下げられた観測装置を示す。
【図３】ボーリング孔内で測定した本発明に係わる磁気方位計の他の出力信号の変化を示す。
【図４】本発明の第１実施形態に係わるケーシングパイプの設置概念図。
【図５】本発明の第１実施形態に係わる磁気力を検出する手段による出力信号の変化予想図。
【図６】本発明の第２実施形態に係わる磁気力を検出する手段の概念図。
【図７】本発明の第３実施形態に係わる磁気力を検出する手段の他の概念図。
【符号の説明】
【００３６】
１…磁気方位計、  ２…鉄製のケーシングパイプ 、
３…ステンレス製のケーシングパイプ 、４…磁気力の乱れ、
５…ボーリング孔 、６…ケーシングパイプ、 ７…ケーシングパイプ 、
８…磁気力を検出する手段 、９…磁気力を検出する手段 、
１０…磁気力を検出する手段 、１１…磁気力を検出する手段
【図１】
2005114584.tif 000003
【図２】
2005114584.tif 000004
【図３】
2005114584.tif 000005
【図４】
2005114584.tif 000006
【図５】
2005114584.tif 000007
【図６】
2005114584.tif 000008
【図７】
2005114584.tif 000009